(57)【要約】      （修正有）【課題】使用する最新の状況に合せた設定内容に自動更新する呼出先自動更新機能を有するインターホン親機を提供する。【解決手段】予め設定されている呼出ボタンによる呼出先の相手以外が代理応答した場合、該代理応答した相手を新たに呼出先の相手として設定することでインターホンを使用する最新の状況に合わせた設定内容に自動更新する。【選択図】図１
2013016941.tif 000002
【特許請求の範囲】
【請求項１】
呼出ボタンを備える１以上のインターホン子機と、前記インターホン子機を収容するインターホン親機と、前記インターホン親機に接続される複数の内線端末から成るインターホンシステムを構成するインターホン親機であって、
前記１以上のインターホン子機に対応して呼出先の内線端末を登録する呼出先登録手段と、前記インターホン子機からの発信を検知すると前記呼出先登録手段を参照して呼出先の内線端末を呼出す内線端末呼出手段と、前記呼出中の内線端末以外から当該呼出に代理応答することを要求する代理応答要求を受付ける代理応答要求受付手段と、前記代理応答を要求した内線端末と前記発信元のインターホン子機を接続する代理応答端末接続手段と、を有し、
前記代理応答端末接続手段が前記代理応答を要求した内線端末と前記発信元のインターホン子機を接続した場合に、当該代理応答した内線端末を前記発信したインターホン子機に対応する呼出先の内線端末として前記呼出先登録手段の内容を自動的に書換え登録することを特徴とする呼出先自動更新機能を有するインターホン親機。
【請求項２】
請求項１に記載のインターホン親機であって、
記代理応答端末接続手段が前記代理応答を要求した内線端末と前記発信元のインターホン子機を接続した後に、当該代理応答した端末または前記発信したインターホン子機から予め定められた第１の特定コマンドを受信した場合に、当該代理応答した端末を前記発信したインターホン子機に対応する呼出先の内線端末として前記呼出先登録手段に追加登録することを特徴とする呼出先自動更新機能を有するインターホン親機。
【請求項３】
請求項１または２に記載のインターホン親機であって、
前記代理応答端末接続手段が前記代理応答を要求した内線端末と前記発信元のインターホン子機を接続した後に、当該代理応答した端末または前記発信したインターホン子機から予め定められた第２の特定コマンドを受信した場合に、代理応答した内線端末を前記発信したインターホン子機に対応する呼出先の内線端末として前記呼出先登録手段の内容を自動的に書換え登録した登録内容を代理応答する前の登録内容に戻すことを特徴とする呼出先自動更新機能を有するインターホン親機。
【発明の詳細な説明】
【技術分野】
【０００１】
本発明は、呼出ボタンを備える１以上のインターホン子機と、前記インターホン子機を収容するインターホン親機と、前記インターホン親機に接続される複数の内線端末から成るインターホンシステムを構成するインターホン親機に関する。
【背景技術】
【０００２】
集合住宅インターホンシステムにおいて、呼出手段毎に呼出先を自動指定して特定の管理室親機を呼び出す技術がある（例えば特許文献１）。しかしながら、特許文献１の技術では、呼出手段毎に予め設定された特定の呼出先を呼び出すことは出来るが、インターホン子機側で特定の呼出先の変更をすることが出来ないため、変更に際し一々管理室親機の担当者にお願いしなければならないという不便さがあった。
【先行技術文献】
【特許文献】
【０００３】
【特許文献１】特開２００７−２３５２２９号公報
【発明の概要】
【発明が解決しようとする課題】
【０００４】
そこで、本発明の目的は、予め設定されている呼出ボタンによる呼出先の相手が応答出来ない状況において、予め設定されている呼出ボタンによる呼出先の相手以外が代理応答した場合、該代理応答した相手を新たに呼出先の相手として設定することでインターホンを使用する最新の状況に合わせた設定内容に自動更新する呼出先自動更新機能を有するインターホン親機を提供することにある。
【課題を解決するための手段】
【０００５】
上記課題を解決するために本発明は、呼出ボタンを備える１以上のインターホン子機と、前記インターホン子機を収容するインターホン親機と、前記インターホン親機に接続される複数の内線端末から成るインターホンシステムを構成するインターホン親機であって、前記１以上のインターホン子機に対応して呼出先の内線端末を登録する呼出先登録手段と、前記インターホン子機からの発信を検知すると前記呼出先登録手段を参照して呼出先の内線端末を呼出す内線端末呼出手段と、前記呼出中の内線端末以外から当該呼出に代理応答することを要求する代理応答要求を受付ける代理応答要求受付手段と、前記代理応答を要求した内線端末と前記発信の発信元のインターホン子機を接続する代理応答端末接続手段と、を有し、前記代理応答端末接続手段が前記代理応答を要求した内線端末と前記発信の発信元のインターホン子機を接続した場合に、当該代理応答した内線端末を前記発信したインターホン子機に対応する呼出先の内線端末として前記呼出先登録手段の内容を自動的に書換え登録することを特徴とする。
【発明の効果】
【０００６】
本発明によれば、予め設定されている呼出ボタンによる呼出先の相手以外が代理応答した場合、該代理応答した相手を新たに呼出先の相手として設定することで、現在のインターホンの使用状況に合わない過去の設定内容から現在のインターホンの使用状況に合う設定内容へ自動更新される。従って、次回からの呼出ボタンによる呼出先の相手が最新のインターホンの使用状況に合った設定内容に自動更新するインターホン親機を提供できる。
【図面の簡単な説明】
【０００７】
【図１】本発明のシステム全体構成及びインターホン親機の内部ブロック構成図
【図２】本発明の呼出先登録部の登録内容の１例
【図３】本発明のインターホン親機の動作フローチャート図
【発明を実施するための形態】
【０００８】
以下、本発明の実施形態について説明する。図１は、本発明のシステム全体構成及びインターホン親機の内部ブロック構成図であって、１は本発明のインターホン親機（以下、本装置と略す）、２−１〜２−３は本装置１に接続するインターホン子機Ａ〜Ｃ、３−１〜３−３は本装置１に接続する内線端末Ａ〜Ｃである。前記インターホン子機２−１〜２−３はそれぞれ異なる居室に設置された例である。前記内線端末３−１〜３−３は同一の管理室内に有り、それぞれ異なる机の上に設置された例である。
【０００９】
本装置１は、インターホン子機２との接続部であるインターホン子機インターフェース部１０１、前記インターホン子機２からの発信を検出するインターホン発信検出部１１０、インターホン子機２からの発信によって内線端末３を呼出す内線端末呼出部１１１、内線端末３との接続部である内線端末インターフェース部１３０、インターホン子機２からの発信を検出した際に複数台ある内線端末３のうちいずれの内線端末３を呼出せばよいかを登録した呼出先登録部１２０、本装置１が呼出対象とすることが出来る複数の内線端末３のうち、呼出登録されていない一の内線端末３が代理応答することを可能とするために、該内線端末３からの代理応答要求を受け付ける代理応答要求受付部１４０、呼出元のインターホン子機２と前記インターホン子機２の呼出先である内線端末３の代わりに代理応答する内線端末３とを接続する代理応答端末接続部１４１、インターホン子機２または内線端末３からの特定コマンドを受信する特定コマンド受信部１５０から構成される。
【００１０】
呼出先登録部１２０の登録内容の１例を図２に示す。○は登録、×は未登録を示す。インターホン子機Ａの呼出先として内線端末Ａを登録、インターホン子機Ｂの呼出先として内線端末Ａと内線端末Ｂを登録、インターホン子機Ｃの呼出先として内線端末Ｃを登録してある例である。インターホン子機２の呼出先として複数の内線端末３が登録してある場合、本装置１は前記インターホン子機２からの発信を検出した場合に前記複数の内線端末３を同時に呼出す。
【００１１】
本装置１の詳細な動作フローについて説明する。図３は、本発明の呼出先自動更新機能に係る動作フローチャート図であり、本フローは電源が投入された状態でスタートする。
【００１２】
はじめに、インターホン子機２の呼出し先である内線端末３が1台のみ、呼出先登録部１２０に登録してある場合を例に説明する。
【００１３】
インターホン子機Ａ（２−１）に搭載された呼出ボタン２１−１が押下され、本装置１のインターホン子機インターフェース部１０１を経由してインターホン発信検出部１１０が前記インターホン子機Ａ（２−１）からの発信を検出した場合（Ｓ３００，ＹＥＳ）、  呼出先登録部１２０に予め登録された前記インターホン子機Ａ（２−１）の呼出先として該当する内線端末３を検索し（Ｓ３０１）、検索の結果該当する内線端末Ａ（３−１）を呼出す（Ｓ３０２）。
【００１４】
呼出した内線端末Ａ（３−１）からのオフフックを検出した場合（Ｓ３１０，ＹＥＳ）、呼出元であるインターホン子機Ａ（２−１）とオフフックした内線端末Ａ（３−１）の通話路を接続する（Ｓ３１１）。
【００１５】
内線端末Ａ（３−１）を呼出（Ｓ３０２）後、一定時間を経過しても呼出先である内線端末Ａ（３−１）からのオフフックが検出できない場合（Ｓ３１０，ＮＯ）、本装置１は、前記呼出先登録部１２０に予め前記インターホン子機Ａ（２−１）の呼出先として登録されていない（図２で×印の内線端末３）他の内線端末Ｂ（３−２）または内線端末Ｃ（３−３）を呼出す（図示せず）。
【００１６】
呼出しの対象となる内線端末３は、当該内線端末Ｂ（３−２）または内線端末Ｃ（３−３）のうち過去の呼出しに対する応答回数の多い内線端末３を自動選択する。前記応答回数は、呼出先登録部１２０に記憶する（図示せず）。
【００１７】
前記呼出先登録部１２０に予め前記インターホン子機Ａ（２−１）の呼出先として登録されていない他の内線端末Ｂ（３−２）または内線端末Ｃ（３−３）を呼出し後、代理応答要求受付部１４０は、前記代理応答要求の受信待ち状態となる（図示せず）。
【００１８】
前記呼出しの対象となる内線端末３（例えば、内線端末Ｂ（３−２）と比較して過去の呼出しに対する応答回数が多い内線端末Ｃ（３−３））が、前記インターホン子機Ａ（２−１）からの呼出しに対して、応答すると代理応答要求受付部１４０で、該応答による内線端末Ｃのオフフックを検出し、呼出を停止し、該内線端末Ｃ（３−３）に対して特定のトーンを送出し、代理応答要求の有無表示を催促する。
【００１９】
これに対して該内線端末Ｃ（３−３）の操作者が予め定められたダイヤル（例えば、３３）を押下すると該ダイヤル‘３３’を該代理応答要求受付部１４０で検出し、該内線端末Ｃ（３−３）が本装置１に対して代理応答要求したことを検知する（図示せず）。
【００２０】
当該内線端末Ｃ（３−３）からの代理応答要求を代理応答要求受付部１４０が検知した場合（Ｓ３２０，ＹＥＳ）、その情報は代理応答端末接続部１４１に伝えられ、該代理応答端末接続部１４１は、呼出元であるインターホン子機Ａ（２−１）と内線端末Ｃ（３−３）の通話路を接続する（Ｓ３２１）と同時に該通話路は、特定コマンド受信部１５０に複式接続される（図示せず）。
【００２１】
また、代理応答端末接続部１４１は、該代理応答した内線端末Ｃ（３−３）をインターホン子機Ａ（２−１）の呼出先として呼出先登録部１２０の内容を自動的に書換え登録する（Ｓ３２２）。すなわち、インターホン子機Ａ（２−１）の呼出先として内線端末Ｃ（３−３）を追加し、内線端末A（３−１）を削除する。
【００２２】
呼出先登録部１２０に複数の内線端末３が登録されている場合は、過去の応答回数の少ない内線端末３を削除する。
【００２３】
Ｓ３２２の処理における呼出先登録部１２０の内容を自動的に書換え登録した内容に対して、当該代理応答した内線端末Ｃ（３−３）または当該インターホン子機Ａ（２−１）の使用者が手動で前記呼出先登録部１２０の登録内容を変更したい場合に特定コマンドを前記各端末（内線端末Ｃ（３−３）またはインターホン子機Ａ（２−１））から本装置１の特定コマンド受信部１５０に対して送信することで登録内容を変更することが出来る。
【００２４】
ここで上記特定コマンドについて説明する。本特定コマンドは、Ｓ３２２の処理において、代理応答端末接続部１４１が呼出先登録部１２０の内容を自動的に書換え登録した内容に対して、代理応答した内線端末C（３−３）の使用者またはインターホン子機A（２−１）の使用者が自動的に書換え登録された前記呼出先登録部１２０の内容を変更したい場合に用いるものであって、２種類の特定コマンドが用意されている。
【００２５】
第１の特定コマンドは、代理応答した内線端末３を前記発信したインターホン子機２に対応する呼出先の内線端末３として前記呼出先登録部１２０に追加登録する。第２の特定コマンドは、自動的に書換え登録した前記呼出先登録部１２０の内容を自動的に書換え登録する前の登録内容に戻す。
【００２６】
Ｓ３２２の処理において、インターホン子機Ａ（２−１）の呼出先として内線端末Ｃ（３−３）を追加し、内線端末A（３−１）を削除するが、前記端末（インターホン子機Ａ（２−１）または内線端末Ｃ（３−３））の使用者は、呼出先登録部１２０の内容が自動的に書換え登録された内容のままであることを希望しない場合は、前記第１の特定コマンドを使用することで、先に登録されていた内線端末Ａ（３−１）を呼出登録部１２０に残したまま、代理応答した内線端末Ｃ（３−３）を前記発信したインターホン子機Ａ（２−１）に対応する呼出先の内線端末３として前記呼出先登録部１２０に追加登録することが出来る。
【００２７】
この場合、Ｓ３２２の処理は、インターホン子機Ａ（２−１）の呼出先として内線端末Ｃ（３−３）を追加する処理内容となる（図示せず）。
【００２８】
前記Ｓ３２２の処理が実行された場合、インターホン子機Ａ（２−１）の呼出先として内線端末Ａ（３−１）に加えて内線端末Ｃ（３−３）を追加するが、前記端末（インターホン子機Ａ（２−１）または内線端末Ｃ（３−３））の使用者は、呼出先登録部１２０の内容が自動的に書換え登録された内容のままであることを希望しない場合は、前記第２の特定コマンドを使用することで、自動的に書換え登録した前記呼出先登録部１２０の内容を自動的に書換え登録する前の登録内容に戻すことが出来る。
【００２９】
ここで本装置１と前記端末（インターホン子機Ａ（２−１）または内線端末Ｃ（３−３））間の前記特定コマンドの送受信について説明する。
【００３０】
インターホン子機Ａ（２−１）から本装置１に対して前記特定コマンドを送出する方法として、前記インターホン子機Ａ（２−１）に備える前記呼出ボタン（２１−１）を当該インターホン子機Ａ（２−１）の操作者が押下する回数によって前記２種類の特定コマンドを選択出来る。本装置１は、前記インターホン子機Ａ（２−１）からの呼出ボタン（２１−１）の押下回数を前記特定コマンド受信部１５０において検知する。前記特定コマンド受信部１５０は、前記呼出ボタン（２１−１）の押下回数が連続２回であった場合、第１の特定コマンドとして検知し、前記呼出ボタン（２１−１）の押下回数が連続３回であった場合、第２の特定コマンドとして検知する。前記呼出ボタン（２１−１）の連続押下の判定回数は、設定によって変更出来るようにしてもよい。
【００３１】
内線端末Ｃ（３−３）から本装置１に対して前記特定コマンドを送出する方法として、前記内線端末Ｃ（３−３）に備えるテンキー（図示せず）から予め決められたダイヤルを当該内線端末Ｃ（３−３）の操作者が入力することによって前記２種類の特定コマンドを選択出来る。本装置１は前記内線端末Ｃ（３−３）からのダイヤル入力を前記特定コマンド受信部１５０において検知する。                
【００３２】
前記特定コマンド受信部１５０は、ダイヤル（例えば、１１）を検知した場合、第１の特定コマンドとして検知し、ダイヤル（例えば、２２）を検知した場合、第２の特定コマンドとして検知する。前記検知するダイヤルは、設定によって変更出来るようにしてもよい。
【００３３】
本装置１は、Ｓ３２２の処理後、前記インターホン子機Ａ（２−１）または前記代理応答した内線端末Ｃ（３−３）のいずれからも第１の特定コマンドを受信せず（Ｓ３３０，ＮＯ）、さらに第２の特定コマンドも受信せず（Ｓ３４０，ＮＯ）、当該内線端末Ｃ（３−３）からのオンフックを検出した場合（Ｓ３５０，ＹＥＳ）、前記呼出先登録部１２０の自動書換えを完了したまま、当該インターホン子機Ａ（２−１）と当該内線端末Ｃ（３−３）の通話路を切断する（Ｓ３５１）。オンフックを未検出の場合（Ｓ３５０，ＮＯ）、前記第１の特定コマンドまたは前記第２の特定コマンドの受信待ち状態を継続する（Ｓ３３０、Ｓ３４０）。
【００３４】
代理応答端末接続部１４１が前記代理応答を要求した内線端末Ｃ（３−３）と前記発信元のインターホン子機Ａ（２−１）を接続した後に、すなわちインターホン子機Ａ（２−１）と内線端末Ｃ（３−３）が通話可能な状態において、前記インターホン子機Ａ（２−１）または前記代理応答した内線端末Ｃ（３−３）から予め定められた第１の特定コマンドを特定コマンド受信部１５０が受信した場合（Ｓ３３０，ＹＥＳ）、代理応答を要求した内線端末Ｃ（３−３）をインターホン子機Ａ（２−１）の呼出先の内線端末３として呼出先登録部１２０の内容に追加登録する（Ｓ３３１）。
【００３５】
なお、本実施例は、インターホン子機Ａ（２−１）を例に説明したがインターホン子機Ｂ（２−２）、インターホン子機Ｃ（２−３）においても本フローは同等であり、インターホン子機Ａ（２−１）に限定しない。
【００３６】
次に、インターホン子機２の呼出し先である内線端末３が複数台、呼出先登録部１２０に登録してある場合を例に説明する。
【００３７】
インターホン子機Ｂ（２−２）の呼出先として呼出先登録部１２０へ内線端末Ａ（３−１）と内線端末Ｂ（３−２）が登録されている状態において、前記インターホン子機Ｂ（２−２）からの発信を検出後（Ｓ３００，ＹＥＳ）、前記内線端末Ａ（３−１）と前記内線端末Ｂ（３−２）の両者を同時によびだしするが、そのいずれからも一定時間オフフックを検出しない場合（Ｓ３１０，ＮＯ）、登録されていない内線端末Ｃ（３−３）を新たに呼び出し（図示せず）、該内線端末Ｃ（３−３）からの代理応答要求を代理応答要求受付部１４０が検知した場合（Ｓ３２０，ＹＥＳ）、代理応答端末接続部１４１は、呼出元であるインターホン子機Ｂ（２−２）と内線端末Ｃ（３−３）間の通話路を設定する（Ｓ３２１）と同時に、該通話路を特定コマンド受信部１５０に複式接続する。
【００３８】
また、代理応答端末接続部１４１は、代理応答した内線端末Ｃ（３−３）をインターホン子機Ｂ（２−２）の呼出先として呼出先登録部１２０の内容を自動的に書換え登録する（Ｓ３２２）。
【００３９】
すなわち、インターホン子機Ｂ（２−２）の呼出先として内線端末Ｃ（３−３）を追加し、内線端末A（３−１）、内線端末Ｂ（３−２）を削除する。
【００４０】
ここで、削除対象となる内線端末３は、設定によって変更可能であっても良い（図示せず）。前記設定内容として例えば、前記インターホン子機Ｂ（２−２）の呼出先として複数の内線端末３が前記呼出先登録部１２０に登録されている場合、過去の呼出しに対して応答回数のより少ない内線端末３を１台のみ前記呼出先登録部１２０から登録削除する設定と、過去の応答回数に関係無く前記呼出先登録部１２０に登録されている全ての内線端末３を前記呼出先登録部１２０から登録削除する設定がある。
【００４１】
インターホン子機Ｂ（２−２）と内線端末Ｃ（３−３）が通話可能な状態において、前記インターホン子機Ｂ（２−２）または前記代理応答した内線端末Ｃ（３−３）から予め定められた第２の特定コマンドを特定コマンド受信部１５０が受信した場合（Ｓ３４０，ＹＥＳ）、Ｓ３２２の処理で自動的に書換え登録した前記呼出先登録部１２０の内容を自動的に書換え登録する前の登録内容に戻す（Ｓ３４１）。
なお、本実施例は、インターホン子機Ｂ（２−２）を例に説明したがインターホン子機Ａ（２−１）、インターホン子機Ｃ（２−３）においても本フローは同等であり、インターホン子機Ｂ（２−２）に限定しない。
【００４２】
以上説明した通り、本発明によれば、予め設定されている呼出ボタンによる呼出先の相手が応答出来ない状況において、予め設定されている呼出ボタンによる呼出先の相手以外が代理応答した場合、該代理応答した相手を新たな呼出先の相手として設定するので、現在のインターホンの使用状況に合わない過去の設定内容から現在のインターホンの使用状況に合う設定内容に自動更新される。
【００４３】
従って、次回からの呼出ボタンによる呼出先の相手が現在のインターホンの使用状況に合った設定内容に自動更新するインターホン親機を提供できるという利点がある。
【００４４】
ところで、以上の実施形態において、インターホン子機２と代理応答した内線端末３の通話路が接続された状態において、前記インターホン子機２または前記代理応答した内線端末３から予め定められた特定コマンドを受信しているが、前記特定コマンドは、通話路が切断された直後における内線端末３からの電話による通知であっても良い。
【００４５】
例えば、本装置１は内線端末３からの電話着信に自動応答し、前記内線端末３のテンキー操作によるＤＴＭＦ（Ｄｕａｌ  Ｔｏｎｅ  Ｍｕｌｔｉｐｌｅ  Ｆｒｅｑｕｅｎｃｙ）信号で受け付けるようにしても良い（図示せず）。
【００４６】
通話路が切断された直後に前記特定コマンドを受け付ける時間は、設定によって変更出来るようにしても良い。
【符号の説明】
【００４７】
１…インターホン親機、２…インターホン子機、３…内線端末、
１０１…インターホン子機インターフェース部、
１１０…インターホン発信検出部、
１１１…内線端末呼出部、１２０…呼出先登録部、
１３０…内線端末インターフェース部、
１４０…代理応答要求受付部、１４１…代理応答端末接続部、
１５０…特定コマンド受信部
【図１】
2013016941.tif 000003
【図２】
2013016941.tif 000004
【図３】
2013016941.tif 000005